(57)【要約】【課題】光源の電源として商用電源と充電池の２系統を有し、充電池の寿命が長く、節電を図ることができる屋外照明装置を提供する。【解決手段】光源８と；商用電源２に電気的に接続されて充電される蓄電池５と、夜間点灯モードおよび減光点灯モードを選択的に制御し、夜間点灯モードが選択されたときに商用電源によって光源を点灯させ、減光点灯モードが選択されたときに充電池によって光源を点灯させるフォトスイッチ９と、を具備している。【選択図】  図２
2008243381.tif 000002
【特許請求の範囲】
【請求項１】
光源と；
商用電源に電気的に接続されて充電される二次電池と；
夜間点灯モードおよび減光点灯モードを選択的に制御する点灯選択手段と；
この点灯選択手段により夜間点灯モードが選択されたときに、商用電源によって光源を点灯させ、減光点灯モードが選択されたときに、光源を二次電池の出力によって減光点灯させるように制御する制御手段と；
を具備していることを特徴とする屋外照明装置。
【請求項２】
点灯選択手段が外光を検出する外光検出手段であることを特徴とする請求項１記載の屋外照明装置。
【請求項３】
点灯選択手段が時刻を計時するタイマーを有しており、
その計時時刻に応じて夜間、昼間、減光点灯モードが選択される明け方および薄暮の各時間帯をそれぞれ検出する手段とを具備していることを特徴とする請求項１記載の屋外照明装置。
【請求項４】
商用電源の停電を検出する停電検出手段を有しており、制御手段は、夜間点灯モードまたは減光点灯モードが選択された状態で停電が検出されたときに二次電池によって光源を点灯させるように制御することを特徴とする請求項１ないし３のいずれか一記載の屋外照明装置。
【請求項５】
二次電池の出力電圧が商用電源の出力電力よりも低くなるように構成されていることを特徴とする請求項１ないし４のいずれか一記載の屋外照明装置。
【発明の詳細な説明】
【技術分野】
【０００１】
本発明は、防犯灯等の屋外照明装置に関する。
【背景技術】
【０００２】
一般に、この種の屋外照明装置の一例としては、屋外の明暗に応じて光源を自動的に点灯または消灯させる自動点滅器を具備したものが知られている（例えば、特許文献１参照）。
【０００３】
また、光源の電源として太陽電池とその充電回路を具備した照明装置も知られている（例えば、特許文献２参照）。
【特許文献１】特開２００６−８００９７号公報
【特許文献２】特開平１１−２８３７５６号公報
【発明の開示】
【発明が解決しようとする課題】
【０００４】
しかしながら、特許文献１記載の発明は、光源の電源が商用電源のみの一系統であって、充電可能なバッテリである充電池等の二次電池を具備していないので、災害時等の商用電源の停電時には、二次電池により光源を点灯することができないという課題がある。
【０００５】
また、特許文献２記載の照明装置では、太陽電池により充電されたバッテリにより、商用電源の停電時に光源を点灯させることができるが、大形の太陽電池パネルが必要であるために、装置全体の大形化を招くうえに、コストが嵩むという課題がある。
【０００６】
さらに、太陽電池によりバッテリを常時充電しているために、バッテリの寿命が短くなるという課題がある。また、光源の電源がバッテリの一系統のみであるので、バッテリが故障したときには光源を点灯させることができない。
【０００７】
本発明はこのような事情を考慮してなされたもので、光源の電源として商用電源と二次電池の２系統を有し、二次電池の寿命が長く、節電を図ることができる屋外照明装置を提供することを目的とする。
【課題を解決するための手段】
【０００８】
請求項１に係る発明は、光源と；商用電源に電気的に接続されて充電される二次電池と；夜間点灯モードおよび減光点灯モードを選択的に制御する点灯選択手段と；この点灯選択手段により夜間点灯モードが選択されたときに、商用電源によって光源を点灯させ、減光点灯モードが選択されたときに、光源を二次電池の出力によって減光点灯させるように制御する制御手段と；を具備していることを特徴とする。
【０００９】
請求項２に係る発明は、点灯選択手段が外光を検出する外光検出手段であることを特徴とする。
【００１０】
請求項３に係る発明は、点灯選択手段が時刻を計時するタイマーを有しており、その計時時刻に応じて夜間、昼間、減光点灯モードが選択される明け方および薄暮の各時間帯をそれぞれ検出する手段とを具備していることを特徴とする。
【００１１】
請求項４に係る発明は、商用電源の停電を検出する停電検出手段を有しており、制御手段は、夜間点灯モードまたは減光点灯モードが選択された状態で停電が検出されたときに二次電池によって光源を点灯させるように制御することを特徴とする。
【００１２】
請求項５に係る発明は、二次電池の出力電圧が商用電源の出力電力よりも低くなるように構成されていることを特徴とする。
【発明の効果】
【００１３】
請求項１に係る屋外照明装置によれば、外光検出手段により夜間を検出したときは、制御手段により光源を商用電源により全光点灯し、二次電池を充電することができる。
【００１４】
また、薄暮または明け方等の明るさを確保するために光源の光出力を多く必要としないときには二次電池の電力により減光点灯させることができる。
【００１５】
したがって、薄暮と明け方のときに光源を点灯させて防犯性能を向上させる場合であっても、薄暮と明け方のときには、夜間の全光点灯よりも消費電力の少ない減光点灯により光源を点灯するので、消費電力の節電を図ることができる。
【００１６】
また、薄暮と明け方に二次電池によって光源を点灯するので、１日の間に、二次電池の充電と放電が繰り返されるので、二次電池を常時充電し、殆ど放電しない場合に比して二次電池の寿命を長くすることができる。
【００１７】
そして、本発明は、光源の電源として、商用電源と二次電池の２系統を具備しており、そのいずれかにより光源を点灯できるので、光源不点灯の虞を低減することができる。
【００１８】
請求項２に係る屋外照明装置によれば、点灯選択手段が外光検出手段であるので、外光の明るさに応じて点灯モードを選択することができる。また、点灯選択手段としてフォトスイッチを使用する場合には、これら外光検出手段と制御手段とを別々に設ける場合に比して、装置全体の小形化とコスト低減の少なくとも一方を図ることができる。
【００１９】
請求項３に係る屋外照明装置によれば、薄暮、夜間、明け方を、その時刻を計時するタイマーに基づいて簡単に検出することができる。
【００２０】
請求項４に係る屋外照明装置によれば、商用電源の停電を停電検出手段により検出すると、停電用制御手段により、光源の受電側を二次電池の出力端に接続するように制御するので、光源を充電池により減光点灯させることができる。
【００２１】
すなわち、商用電源の停電時にも光源を点灯することができるので、夜間等であっても災害時に必要な照度を確保することができる。しかも、この点灯は二次電池による減光点灯であるので、節電できる。このために、全光点灯の場合よりも、その節電分だけ点灯時間の延長を図ることができる。
【００２２】
請求項５に係る屋外照明装置によれば、二次電池の出力電圧が商用電源電圧よりも低いので、二次電池の出力側を光源に単に接続するように制御することにより、光源を減光点灯させることができ、調光を必要としない。
【発明を実施するための最良の形態】
【００２３】
以下、本発明の実施形態を添付図面に基づいて説明する。なお、複数の添付図面中、同一または相当部分には、同一符号を付している。
【００２４】
図１は本発明の第１の実施形態に係る屋外照明装置の全体構成を示すと共に、夜間検出モード時の状態を示す電気回路図、図２は同，薄暮，明け方，停電の検出モード時の状態を示す電気回路図、図３は同，昼間の検出モード時の状態を示す電気回路図である。
【００２５】
これら図１〜図３に示すように屋外照明装置１は、商用電源２に電気的に接続される停電検出手段である停電検出装置３に、電磁スイッチ等からなる電源スイッチ４を直列に接続している。
【００２６】
電源スイッチ４の負荷側には、二次電池の充電池５と、電磁スイッチ等からなる切換スイッチ６を並列に接続し、この切換スイッチ６の出力（負荷）側には、安定器７と光源８とをこの順に順次接続している。これにより、光源８の受電側を、切換スイッチ６により、充電池５の出力側の接点６ｂ，６ｂと商用電源側接点６ａ，６ａとに適宜切り換えることができる。
【００２７】
充電池５は、商用電源２に電気的に接続されたときに、その電力を充電するが、商用電源２よりも低い電圧を光源８に印加することにより減光点灯するようになっている。ここで減光点灯とは全光点灯の例えば３０％〜５０％の明るさで点灯することをいう。
【００２８】
安定器７は昇圧トランスであり、光源８は例えば蛍光ランプであるが、白熱電球やＨＩＤランプ（Ｈｉｇｈ  ｉｎｔｅｎｓｉｔｙ  ｄｉｓｃｈａｒｇｅ  ｌａｍｐ）等でもよい。
【００２９】
停電検出装置３は、商用電源の停電を検出したときに、切換スイッチ６を充電池５の接点６ｂ，６ｂ側に切り換えることにより、光源８に充電池５を接続するように構成されている。
【００３０】
そして、電磁スイッチの電源スイッチ４と切換スイッチ６には図中破線で示す信号線を介してフォトスイッチ９を電気的に接続している。
【００３１】
フォトスイッチ９は、点灯選択手段の一例であって、屋外の外光を検出する光センサと、この光センサにより検出した外光が、夜間，明け方，昼間，薄暮として予め設定した明るさのレベルにそれぞれ達したことを検出したときに、その検出レベルに応じて電源スイッチ４のオンオフと、切換スイッチ６の切換を制御する制御手段と、を具備している。
【００３２】
すなわち、図１に示すようにフォトスイッチ１０は、その光センサにより夜間を検出したときには、電源スイッチ４をオンに制御すると共に、光源８の受電側（すなわち、安定器７の受電側）を商用電源側接点６ａ，６ａに接続するように切換スイッチ６を制御する。
【００３３】
また、図２に示すようにフォトスイッチ９は、薄暮や明け方を検出したときには、電源スイッチ４をオフに制御して商用電源２を遮断すると共に、光源８の受電側を充電池５側の接点６ｂ，６ｂに接続するように切換スイッチ６を切り換える。
【００３４】
さらに、図３に示すように、フォトスイッチ９は、昼間を検出したときには、電源スイッチ４をオフに制御すると共に、光源８の受電側を、充電池５側接点６ｂ，６ｂと商用電源側接点６ａ，６ａのいずれにも接続されない中立点に切換スイッチ６を制御する。
【００３５】
次にこの屋外照明装置１の作用を説明する。
【００３６】
まず、図１に示すようにフォトスイッチ９が夜間を検出すると、このフォトスイッチ９により、電源スイッチ４がオンに制御される。これとほぼ同時に、切換スイッチ６は、フォトスイッチ９により、光源８の受電側（安定器７の受電側）が商用電源側接点６ａ，６ａに接続されるように切り換えられる。
【００３７】
このために、光源８が安定器７、切換スイッチ６、電源スイッチ４を介して商用電源２に接続される。
【００３８】
これにより、商用電源２から所要の交流電力が安定器７を介して光源８に給電される。このために、光源８が商用電源２により全光点灯される。
【００３９】
また、このとき、充電池５も、オンした電源スイッチ４を介して商用電源２に接続されるので、充電される。
【００４０】
さらに、図２に示すように、フォトスイッチ９が薄暮または明け方を検出すると、このフォトスイッチ９により電源スイッチ４がオフに制御されると共に、光源８の受電側が充電池５側の接点６ｂに接続されるように切換スイッチ６が切り換えられる。
【００４１】
このために、光源８には充電池５から所要の電力が給電されるので、光源８は点灯する。しかし、この充電池５から光源８に印加される電圧は商用電源２の電圧よりも例えば３０〜５０％低いので、光源８は明るさが全光点灯よりも３０〜５０％低い減光点灯される。
【００４２】
そして、図３に示すようにフォトスイッチ９が昼間を検出すると、このフォトスイッチ９により、電源スイッチ４がオフに制御されると共に、光源８の受電側が商用電源２と充電池５のいずれの側にも接続されない中立点に切り換えられるように切換スイッチ６が制御される。
【００４３】
このために、光源８には、商用電源２と充電池５の両者からの通電が遮断されるので、光源８は点灯されない。
【００４４】
したがって、この屋外照明装置１によれば、フォトスイッチ９により夜間を検出したときは、このフォトスイッチ９により光源８を商用電源２により全光点灯し、充電池５を充電することができる。
【００４５】
また、薄暮または明け方をフォトスイッチ９により検出したときは、このフォトスイッチ９により光源８を充電池５により減光点灯させることができる。
【００４６】
さらに、昼間を検出したときは、光源８の商用電源２と充電池５への通電を遮断させる。
【００４７】
したがって、薄暮と明け方のときにも、光源８を点灯させるので、防犯性能を向上させることができる。しかも、薄暮と明け方のときには、減光点灯により深夜電力によって充電されたバッテリの出力で点灯することによって、省電力化を図ることができる。また、深夜電力は安価であるので、コスト低減を図ることができる。
【００４８】
また、夜間では、光源８を全光点灯しつつ、充電池５を商用電源２により充電し、薄暮と明け方では充電池５を光源８の電源として使用することにより放電させる。
【００４９】
したがって、１日の間に、充電池５の充電と放電を繰り返すので、常時充電し、殆ど放電しない場合に比して充電池５の寿命を長くすることができる。
【００５０】
そして、光源５の電源として、商用電源２と充電池５の２系統を具備しているので、光源不点灯の虞を低減することができる。
【００５１】
さらに、フォトスイッチ９は、外光検出手段と制御手段の両機能を有するので、これら外光検出手段と制御手段とを別々に設ける場合に比して、装置全体の小形化とコスト低減の少なくとも一方を図ることができる。
【００５２】
そして、商用電源２の停電を停電検出装置３により検出すると、この停電検出装置３により、光源８の受電側を充電池５の出力端に接続するように制御するので、光源を充電池５により減光点灯させることができる。
【００５３】
すなわち、商用電源２の停電時にも光源８を点灯することができるので、防犯性を向上させることができる。しかも、この点灯は充電池５による減光点灯であり、節電できるので、全光点灯の場合よりも、その節電分だけ点灯時間の延長を図ることができる。
【００５４】
なお、上記実施形態では、フォトスイッチ９により外光を検出することにより夜間，明け方，昼間，薄暮を繰返し検出する場合について説明したが、本発明はこれに限定されるものではなく、例えばタイマーの計時に基づいてにより夜間，明け方，昼間，薄暮を繰返し検出するように構成してもよい。
【００５５】
すなわち、年間の夜間，明け方，昼間，薄暮の各開始時刻から終了時刻と、その時間をマイクロプロセッサのメモリに予め設定しておき、タイマーにより時刻を連続的に計時し、その計時時刻が予め設定した夜間，明け方，昼間，薄暮のいずれかの時間帯にあるかを判断し、その時間帯に応じてマイクロプロセッサにより上記フォトスイッチ９と同様に電源スイッチ４と切換スイッチ６を制御するように構成してもよい。
【００５６】
さらに、このマイクロプロセッサに、上記停電検出装置３による切換スイッチ６を制御する制御機能を持たせてもよい。
【００５７】
さらにまた、光センサにより外光を検出し、その外光の明るさに応じて予め夜間，明け方，昼間，薄暮を設定しておき、光センサにより検出した外光の明るさに基づいてマイクロプロセッサにより夜間，明け方，昼間，薄暮をそれぞれ検出させ、その検出モードに応じて上記電源スイッチ４と切換スイッチ６の切換を制御するように構成してもよい。これによれば、外光の明るさに応じて電源スイッチ４と切換スイッチ６を制御するので、その制御精度を向上させることができる。
【００５８】
図４は本発明の第２の実施形態に係る屋外照明装置１Ａの外観斜視図、図５は同屋外照明装置１Ａの側面図である。
【００５９】
この屋外照明装置１Ａは降雪地域に好適な屋外照明装置であり、その外囲器であるランプケーシング１１の切妻屋根１２の傾斜外面上に、複数の放熱フィン１４，１４，１４を積雪の自重落下方向に沿って配設した点に特徴がある。
【００６０】
すなわち、屋外照明装置１Ａは、ランプケーシング１１の切妻屋根１２の図４，図５中下方開口に、半円筒状の透光性カバー１３を配設してこの開口を閉じており、切妻屋根１２の傾斜角θを例えば１２０°以下の狭い角度に形成している。これは、切妻屋根１２上に積雪した雪が切妻屋根１２の傾斜面に沿って自重により落下し易くするためである。
【００６１】
そして、切妻屋根１２の外面上には、その傾斜方向に沿う放熱フィン１４を、切妻屋根１２の長手方向に所要のピッチを置いて複数枚並設している。
【００６２】
このために、切妻屋根１２の外面上に積雪した雪をこの切妻屋根１２の傾斜に沿って自重により容易に落下させることができる。すなわち、降雪の落下率を向上させて積雪を低減させることができる。
【００６３】
また、切妻屋根１２に複数の放熱フィン１４，１４，…を並設しているので、ランプケーシング１１内に配設されている光源や安定器等熱源の発熱の放熱効果をこれら放熱フィン１４，１４，…により向上させることができる。
【００６４】
そして、光源がＬＥＤ（発光ダイオード）ランプであるときに、特に放熱効果の向上は重要である。すなわち、ＬＥＤランプは発熱量が多く高温に昇温し易く、高温に昇温すると、発光効率が低下し易いという課題を有するので、この課題を放熱効果の向上により低減できる。
【００６５】
なお、光源や安定器等の熱源を熱伝導部材を介して切妻屋根１２に熱伝導可能に接続してもよい。これによれば、放熱効果の高い切妻屋根１２に、光源や安定器等の熱源の発熱を熱伝導部材により効率的に熱伝導することができるので、これら熱源の放熱効果をさらに向上させることができる。
【００６６】
図６は本発明の第３の実施形態に係る屋外照明装置１Ｂの外観斜視図である。この屋外照明装置１Ｂは放熱性に優れたアルミニウム製の円錐状をなすランプケーシング１５の外面に、その円錐頂部１５ａから円錐底面の図６中、開口下端１５ｂまでの母線方向に沿う放熱フィン１６の複数１６，１６，…を周方向に所要のピッチを置いて並設している点に特徴がある。
【００６７】
ランプケーシング１５内には、ＬＥＤランプや白熱電球、ＨＩＤランプ等の光源を収容しており、ランプケーシング１５の開口下端１５ｂには、その開口を閉じる透孔性を有する球分状のカバー１７を配設している。
【００６８】
したがって、この屋外照明装置１Ｂによれば、複数の放熱フィン１６，１６，…により光源や安定器等の熱源の放熱効果を向上させることができる。
【００６９】
また、これら放熱フィン１６，１６，…は、円錐状のランプケーシング１５の外面の母線方向に沿って並設されているので、ランプケーシング１５の外面に積雪した雪を自重により放熱フィン１６，１６，…に沿って落下させ易くなる。これにより、ランプケーシング１５の円錐状外面への積雪を減少させることができる。このために、積雪の重みによる屋外照明装置１Ｂの破損も低減することができる。
【図面の簡単な説明】
【００７０】
【図１】本発明の第１の実施形態に係る屋外照明装置の構成を示すと共に、夜間検出時の動作状態を示す電気回路図。
【図２】図１で示す屋外照明装置の薄暮，明け方，停電の検出時の動作状態を示す電気回路図。
【図３】図１で示す屋外照明装置の昼間検出時の動作状態を示す電気回路図。
【図４】本発明の第２の実施形態に係る屋外照明装置の外観斜視図。
【図５】本発明の第３の実施形態に係る屋外照明装置の外観斜視図。
【図６】本発明の第４の実施形態に係る屋外照明装置の外観斜視図。
【符号の説明】
【００７１】
１，１Ａ，１Ｂ  屋外照明装置、２…商用電源、３…停電検出装置、４…電源スイッチ、５…充電池、６…切換スイッチ、７…安定器、８…光源、９…フォトスイッチ、１１，１５…ランプケーシング、１２…切妻屋根、１４，１６…放熱フィン。
【図１】
2008243381.tif 000003
【図２】
2008243381.tif 000004
【図３】
2008243381.tif 000005
【図４】
2008243381.tif 000006
【図５】
2008243381.tif 000007
【図６】
2008243381.tif 000008